(57)【要約】【課題】文字板の間で光が拡散されることなく、ＬＥＤのセグメント表示のコントラストをはっきりさせ、かつ文字板の質感を向上を図る。【解決手段】金属文字板２４にＬＥＤの光透過用の透過光孔を設け、このＬＥＤにより金属文字板２４に文字を浮き出させるＬＥＤ表示付き携帯機器の文字板構造であって、金属文字板２４の透過光孔に、光を透過可能な樹脂部材４０を配置することで文字板の間で光が拡散されることなく、ＬＥＤのセグメント表示のコントラストをはっきりさせる。【選択図】        図４
2010097082.tif 000002
【特許請求の範囲】
【請求項１】
金属文字板にＬＥＤの光透過用の穴を設け、ＬＥＤにより前記金属文字板に文字を浮き出させるＬＥＤ表示付き携帯機器の文字板構造であって、
前記金属文字板の透過光穴に、光を透過可能な樹脂部材を配置したことを特徴とするＬＥＤ表示付き携帯機器の文字板構造。
【請求項２】
前記金属文字板の透過光穴周辺に段部を設け、前記透過光穴に凸形状の樹脂部材を配置したことを特徴とする請求項１に記載のＬＥＤ表示付き携帯機器の文字板構造。
【請求項３】
前記金属文字板の透過光穴に樹脂部材を配置した文字板において、文字板表面に、光透過性を有する塗料を用いて塗装をしたことを特徴とする請求項１に記載のＬＥＤ表示付き携帯機器の文字板構造。
【請求項４】
前記金属文字板の透過光穴に樹脂部材を配置した文字板において、前記樹脂部材の裏面に、光透過性を有する塗料を用いて塗装をしたことを特徴とする請求項１、２または３に記載のＬＥＤ表示付き携帯機器の文字板構造。
【請求項５】
前記金属文字板の透過光穴に樹脂部材を配置した文字板において、前記樹脂部材の裏面に、光透過性を有する白塗料を用いて塗装をしたことを特徴とする請求項４に記載のＬＥＤ表示付き携帯機器の文字板構造。
【請求項６】
前記金属文字板に本体側の凹部と嵌合する凸部形状部材を設けたことを特徴とする請求項１に記載のＬＥＤ表示付き携帯機器の文字板構造。
【発明の詳細な説明】
【技術分野】
【０００１】
本発明は、ＬＥＤにより文字板に文字を浮き出させ、時刻等を表示するＬＥＤ表示付き携帯機器の文字板構造に関するものである。
【背景技術】
【０００２】
従来、ＬＥＤ（Ｌｉｇｔ  Ｅｍｉｔｔｉｎｇ  Ｄｉｏｄｅ：発光ダイオード）を発光源としてデジタル表示で時刻などを表示する腕時計や電子機器が知られている（たとえば、特許文献１、２参照）。また、アナログ時計において、透過性を持つ時計文字板の裏側から、ＬＥＤにより、時刻等の表示を浮き上がらせるアナログ腕時計が開示されている（たとえば、特許文献３参照）。この特許文献３では、ＬＥＤ表示機能つき腕時計の場合、遮光板の穴にＬＥＤを配置し、樹脂の透明文字板の印刷で、光を拡散させている。
【０００３】
また、このようなＬＥＤ表示機能つき腕時計の文字板の固定は以下に示す図７のようにして行われている。文字板１００に凹部１００ａの形状を設け、この凹部１００ａと嵌合するように本体側のモジュール樹脂部材１１０に凸部１１０ａを設けることで相互の固定を行っている。
【０００４】
【特許文献１】特開平１１−３０４９６７号公報
【特許文献２】特開昭５６−５７９８３号公報
【特許文献３】特開２００６−３０００９１６号公報
【発明の開示】
【発明が解決しようとする課題】
【０００５】
しかしながら、上記に示されるような特許文献３に開示されている技術にあっては、遮光板の穴にＬＥＤを配置し、樹脂の透明文字板の印刷で、ＬＥＤ光を拡散させているので、文字板の間を光が拡散し、文字のコントラストがはっきりしなかった。すなわち、樹脂文字板は、光が透過してしまい、色合い等の質感がなく、安っぽいイメージであった。
【０００６】
また、従来の樹脂文字板は、文字板足が設けられないため、樹脂ダボに圧入しているが、固定が安定しないいという問題点があった。
【０００７】
本発明は、上記に鑑みてなされたものであって、文字板の間で光が拡散されることなく、ＬＥＤのセグメント表示のコントラストをはっきりさせ、かつ文字板の質感を向上を図ることを目的とする。
【０００８】
また、文字板を本体モジュールに安定して固定可能とすることを目的とする。
【課題を解決するための手段】
【０００９】
上述した課題を解決し、目的を達成するために、請求項１にかかる発明は、金属文字板にＬＥＤの光透過用の穴を設け、ＬＥＤにより前記金属文字板に文字を浮き出させるＬＥＤ表示付き携帯機器の文字板構造であって、前記金属文字板の透過光穴に、光を透過可能な樹脂部材を配置したことを特徴とする。
【００１０】
また、請求項２にかかる発明は、請求項１において、前記金属文字板の透過光穴周辺に段部を設け、前記透過光穴に凸形状の樹脂部材を配置したことを特徴とする。
【００１１】
また、請求項３にかかる発明は、請求項１において、前記金属文字板の透過光穴に樹脂部材を配置した文字板において、文字板表面に、光透過性を有する塗料を用いて塗装をしたことを特徴とする。
【００１２】
また、請求項４にかかる発明は、請求項１、２または３において、前記金属文字板の透過光穴に樹脂部材を配置した文字板において、前記樹脂部材の裏面に、光透過性を有する塗料を用いて塗装をしたことを特徴とする。
【００１３】
また、請求項５にかかる発明は、請求項４において、前記金属文字板の透過光穴に樹脂部材を配置した文字板において、前記樹脂部材の裏面に、光透過性を有する白塗料を用いて塗装をしたことを特徴とする。
【００１４】
また、請求項６にかかる発明は、請求項１において、前記金属文字板に本体側の凹部と嵌合する凸部形状部材を設けたことを特徴とする。
【発明の効果】
【００１５】
本発明にかかるＬＥＤ表示付き携帯機器は、金属文字板にＬＥＤの光透過用の穴を設け、ＬＥＤにより前記金属文字板に文字を浮き出させるＬＥＤ表示付き携帯機器の文字板構造において、金属文字板の透過光穴に、光を透過可能な樹脂部材を配置したので、文字板の間で光が拡散されることなく、ＬＥＤのセグメント表示のコントラストをはっきりさせることができるという効果を奏する。
【発明を実施するための最良の形態】
【００１６】
以下に添付図面を参照して、この発明にかかるＬＥＤ表示付き携帯機器の文字板構造の最良な実施の形態を詳細に説明する。なお、以下に示す実施の形態は一例でありこれに限定されるものではない。
【００１７】
（実施の形態）
図１は、この実施の形態にかかるＬＥＤ表示付き携帯機器の文字板構造を用いた腕時計の構成例を示す説明図である。この図１において、腕時計ケース１０の表側に風防ガラス１１を固着し、裏側に裏ブタ１２をねじ付けて取り付ける。裏ブタ１２は、非磁性材であり、プラスチックや強磁性体ではない金属を用いて作製される。腕時計ケース１０内には、アナログムーブメント１３を樹脂製の中枠１４で固定して収納する。ムーブメント１３には、円盤状の回路基板１６を重ね合わせる。回路基板１６には、たとえば縦が１．６ｍｍ以下、横が０．８ｍｍ以下で、厚さ０．８ｍｍ以下の薄型チップＬＥＤ１７（デジタル表示用ＬＥＤ）を複数取り付ける。
【００１８】
そして、薄型チップＬＥＤ１７を用いて１つのセグメント１８を構成し、デジタル数値で時刻を表示可能になるように平面的に配置する。回路基板１６には、中心に中心孔をあけ、その中心孔を挟んで上下に１つずつ設けた薄型チップＬＥＤ１７を用いてコロンを構成し、そのコロンを挟んで左右にセグメントを２つずつ振り分けて配置する。
【００１９】
回路基板１６は、それより薄い遮光板２２に重ねて取り付け、その遮光板２２で支持する。遮光板２２には、表裏を貫通して複数の光透過孔２３を開ける。光透過孔２３は、回路基板１６の各薄型チップＬＥＤ１７に対向して開け、光透過孔２３ごとにそれぞれ薄型チップＬＥＤ１７を各１つずつ対応して設け、遮光板２２の裏側に回路基板１６を取り付けたときに薄型チップＬＥＤ１７の発光面が光透過孔２３ごとに合致するように構成する。そして、遮光板２２に回路基板１６を重ね合わせても、たとえば厚さ１．５ｍｍ以下となるように構成する。
【００２０】
遮光板２２は，遮光性の高い黒色などの濃い色の樹脂材料を用いて形成する。遮光板２２は，表面に時刻数字や時刻などの時刻表示を有する金属文字板２４を重ね合わせる。
【００２１】
ここで、金属文字板２４の詳細な構成例について図２〜図を参照し説明する。図２はこの実施の形態にかかる金属文字板２４の全体構成を示す説明図である。この図２に図示する符号２４ａはデジタル表示のためＬＥＤ光を透過させる透過光孔、符号２４ｂは時字印刷、符号２４ｃはアナログセンター孔、符号２４ｄは文字板足である。
【００２２】
図３は図２における金属文字板２４の積層構成例を示し、図４はこの図３のＡ部を拡大して示す図である。また、図５に光を透過可能な材質でなる凸形状の樹脂部材の構成例を示し、図６は金属文字板２４の斜視図である。これらの図において、金属文字板２４の透過光孔２４ａに、光を透過可能な材質でなる樹脂部材４０を配置する。すなわち、この例では、金属文字板２４の透過光孔２４ａの周辺に文字板段部２４ｅを設け、透過光孔２４ａの部分に凸形状の樹脂部材４０を配置する。なお、この樹脂部材４０の固定には圧入、接着などを用いる。また、金属文字板２４は、図３の下部に示すように、文字板足２４ｄは本体側モジュール部分に圧入されることで固定される。
【００２３】
また、図４に示すように、金属文字板２４の表面に、光透過性を有する文字板塗装４１を施す。なお、この文字板塗装４１は、イオンコーティイングなどであってもよい。金属板への塗装のため、色合い等の質感が出しやすく、塗料の選定も自由度が大きい。樹脂部材４０の裏面には、光透過性を持つ塗料材を用いて樹脂部材塗装４２を行い、樹脂部材４０内部での光の拡散を良好にさせる。このとき、白色の塗装であれば、樹脂部材４０での光拡散が大きくなり、さらに見栄えがよくなる。
【００２４】
つぎに、図１に戻ってさらに説明する。デジタル表示用の薄型チップＬＥＤ１７を点灯したときのみ薄型チップＬＥＤ１７のデジタル表示を金属文字板２４を透して視認し得る光透過率で形成する。好ましくは、その光透過率を１〜７０％とする。そして、金属文字板２４の周縁を腕時計ケース１０の見切り部に当てて、全体を腕時計ケース１０内に収納するとともに、文字板足２４ｄ本体側モジュール部分の凹部に位置決めし、圧入して固定する。
【００２５】
金属文字板２４の裏側に遮光板２２を備え、その遮光板２２の裏側に回路基板１６を配置し、回路基板１６の裏側に、回路基板１６上の薄型チップＬＥＤ１７を配置する。運針軸１５は、回路基板１６の中心孔から遮光板２２の中心孔を通して金属文字板２４まで貫通して先端を金属文字板２４の表面に露出する。そして、先端に、時針２５、分針２６、秒針２７を取り付ける。
【００２６】
そのようなムーブメント１３の裏ブタ１２側には、充電回路を設け、コイン型の二次電池３０をムーブメント１３と重ね合わせて配置するとともに、その二次電池３０の周囲を囲むようにコイルボビン３１に環状に巻き付けて二次コイル３２を取り付ける。つまり、二次電池３０と二次コイル３２を、腕時計ケース１０内において同一平面に配置する。
【００２７】
また、腕時計ケース１０内において、回路基板１６の裏側には、ムーブメント１３と同一平面に、薄型チップＬＥＤ１７を駆動するＬＥＤ駆動回路３３を取り付ける。このＬＥＤ駆動回路３３は、外部操作に基づき薄型チップＬＥＤ１７のすべてを点灯するＬＥＤ駆動機能を備える。また、外部操作に基づき、ストップウォッチ、アラーム、タイマなどの付加時計機能を働かせる機能を備える。
【００２８】
他方、この実施の形態にかかる腕時計は、外部にリューズ３５を取り付ける巻真３６を、腕時計ケース１０を貫通して挿入してムーブメント１３内に入れる。また、図示を省略するが、外端にスイッチを取り付ける操作軸を、同様に腕時計ケース１０を貫通して挿入してムーブメント１３内に入れる。
【００２９】
そして、図示するようなアナログ腕時計では、通常時は、デジタル表示用の薄型チップＬＥＤ１７を点灯せず、二次電池３０でムーブメント１３を駆動して針２５〜２７を回転し、金属文字板２４の時刻表示を指して時刻をアナログ表示する。必要に応じ、適宜外部操作により、デジタル表示用の薄型チップＬＥＤ１７を点灯してその光を遮光板２２の光透過孔２３で導光して金属文字板２４を透し、時刻、月日、曜日などをデジタル表示する。時刻修正時は、リューズ３５を操作して巻真３６を介してムーブメント１３を動かし、針２５〜２７を回す。
【００３０】
このように、アナログ表示とともにデジタル表示を行なうことができる腕時計において、通常時は、デジタル表示用の薄型チップＬＥＤ１７を点灯せず、時刻をアナログ表示し、金属文字板２４を隠してデジタル表示用の薄型チップＬＥＤ１７が見えないようにし、金属文字板２４にデジタル表示窓を開けたりする必要をなくしてデザイン上の制約を少なくし、デザイン上の多様性を確保することができる。また、必要に応じ，種々の色で、暗いところでも明るく表示し、表示の見栄えが悪いとか暗いところでは見にくいとかの液晶パネル特有の欠点を解消する一方、デジタル表示を金属文字板２４いっぱいに大きく見やすく表示することができる。
【００３１】
回路基板１６の中心孔を挟んでデジタル表示用の薄型チップＬＥＤ１７を用いて構成したコロンを設け、そのコロンを挟んで、デジタル表示用の薄型チップＬＥＤ１７を用いて構成したセグメント１８を２つずつ振り分けて配置するので、金属文字板２４に近い大きさの回路基板１６を用い、その回路基板１６いっぱいにセグメント１８を配置することにより金属文字板２４を有効に利用してデジタル表示を大きく見やすくすることができる。
【００３２】
また、金属文字板２４、遮光板２２、回路基板１６、アナログムーブメント１３、ＬＥＤ駆動回路３３などの構成部品をコンパクトにまとめて腕時計ケース１０内に収納し、腕時計全体を小型化することができる。このアナログ腕時計では、運針軸１５が貫通する回路基板１６を中心孔を挟んで薄型チップＬＥＤ１７を設け、それらのＬＥＤを用いてコロン１９を構成することで、アナログ表示とともにデジタル表示も文字板いっぱいに表示可能とし、アナログ表示とデジタル表示をともに大きく見やすく表示することができる。
【００３３】
また、ＬＥＤ駆動回路３３に、外部操作にしたがって薄型チップＬＥＤ１７のすべてを点灯するＬＥＤ駆動機能を備えるので、たとえば暗いところで鍵穴などが見えにくいときなど、明かりが必要なところでは、外部操作によりＬＥＤ駆動回路３３を働かせて薄型チップＬＥＤ１７のすべてを点灯することができる。そして、二次電池３０を電源として風防ガラス１１を透かして外部を照射し、時刻など薄型チップＬＥＤ１７をそのまま照明用としても利用し、別途照明光源を備えることにより大型化したり見栄えを悪くしたりすることなく、まわりを照らすことができる。
【００３４】
さらに、ＬＥＤ駆動回路３３に、スイッチ（不図示）の外部操作にしたがって、ストップウォッチ、アラーム、タイマなどの付加時計機能を働かせるＬＥＤ駆動態様を備えるので、アナログ表示とともにデジタル表示を行なうことができる腕時計において、さらに機能アップして付加機能を高めることができる。
【００３５】
不図示のスイッチをさらにもう一度外部操作すると、薄型チップＬＥＤ１７を消灯する。もちろん、残照時間を設定してスイッチ操作後一定時間が経過した後、薄型チップＬＥＤ１７を自動的に消灯するようにしてもよい。
【００３６】
ところで、この例における腕時計では、使用により二次電池３０の電池容量が低下したときは、不図示の充電器上に載せて電磁誘導方式を用いて充電する。つまり、ＡＣコードを介して供給されるＡＣ電流を流して充電器の一次コイルで交流磁界を発生させ、この交流磁界によりこの腕時計の二次コイル３２に交流電流を発生させ、整流回路で整流して直流電源として二次電池３０を充電する。
【００３７】
電源として二次電池３０を使用するので、薄型チップＬＥＤ１７を多用することにより電池がなくなっても電池交換をすることなく充電するだけでよいので、電池寿命を気にする必要なく、かつ電池交換の煩わしさや費用を気にすることなく、照明機能を存分に使うことができる。これにより、液晶パネルに比べて消費電力の大きいＬＥＤを用いてデジタル表示を行なうことによる欠点を解消することができる。
【００３８】
なお、ここでは、電磁誘導方式を用いて充電回路の二次電池３０を充電したが、二次電池３０を太陽電池や、直接電源端子を接続して充電することにしてもよい。二次コイル３２を備え、電磁誘導方式を用いて二次電池３０を充電可能とすると、デザイン上の制約を受けないとともに、防水構造を複雑にすることなく、簡単かつ確実な充電が可能となる。
【００３９】
このように以上説明してきたＬＥＤにより文字板に文字を浮き出させる腕時計によれば、金属文字板２４にＬＥＤ光の透過光孔２４ａを設けたことにより、ＬＥＤによるゼグメント表示のコントラストが向上する。さらに、従来における樹脂文字板は、文字板足が設けられないため、樹脂ダボに圧入しているので、固定が安定しなかったが、この実施の形態における金属文字板２４では、文字板足２４ｄが設けられるため、金属文字板２４の固定が安定する。
【００４０】
また、金属文字板２４の透過光穴に樹脂部材４０を配置したことにより、ＬＥＤが外部より直接見えなくなり、見栄えがよくなる。さらに、金属文字板２４の透過光穴周辺に文字板段部２４ｅを設け、穴部に凸形状の樹脂部材４０を配置したので、樹脂部材４０の取り付け性が向上する。
【００４１】
また、従来の樹脂文字板では、光が透過してしまい、色合い等の質感がなく、安っぽいイメージであったが、この実施の形態では、金属文字板２４の文字板表面に、光透過性をもつ、塗装をしたので、文字板の質感が大幅に向上する。さらに、金属文字板２４への塗装のため、色合い等の質感が出しやすく、塗料の選定における自由度が高くなる。また、樹脂部材４０の裏面に、光透過性をもつ塗装をしたので、樹脂部材４０内部での光の拡散ができ、セグメントの見栄えがよくなる。また、樹脂部材４０の裏面に、光透過性をもつ、白塗装をしたので、光の拡散がさらに良くなる。
【００４２】
以上により、先に述べた従来のＬＥＤ表示機能つき腕時計において、文字のコントラストがはっきりしない、文字板の色合い等の質感がなく、安っぽいイメージとなる、といった問題点や、樹脂文字板の固定が安定しないといった問題点の解消が実現する。
【産業上の利用可能性】
【００４３】
以上のように、本発明にかかるＬＥＤ表示付き携帯機器の文字板構造は、デジタル表示の腕時計、携帯機器に有用であり、特に、金属文字板を用いてＬＥＤ表示する小型の機器に適している。
【図面の簡単な説明】
【００４４】
【図１】この実施の形態にかかるＬＥＤ表示付き携帯機器の文字板構造を用いた腕時計の構成例を示す説明図である。
【図２】この実施の形態にかかる金属文字板の全体構成を示す説明図である。
【図３】図２における金属文字板の積層構成例を示す説明図である。
【図４】図３のＡ部を拡大して示す説明図である。
【図５】光を透過可能な材質でなる凸形状の樹脂部材の構成例を示す説明図である。
【図６】この実施の形態にかかる金属文字板の構成を示す斜視図である。
【図７】従来における文字板の固定例を示す斜視図である。
【符号の説明】
【００４５】
１０  腕時計ケース
１７  薄型チップＬＥＤ
２４  金属文字板
２４ａ  透過光孔
２４ｄ  文字板足
２４ｅ  文字板段部
４０  樹脂部材
４１  文字板塗装
４２  樹脂部材塗装
【図１】
2010097082.tif 000003
【図２】
2010097082.tif 000004
【図３】
2010097082.tif 000005
【図４】
2010097082.tif 000006
【図５】
2010097082.tif 000007
【図６】
2010097082.tif 000008
【図７】
2010097082.tif 000009